【手続補正書】
【提出日】平成22年5月7日(2010.5.7)
【手続補正１】
【補正対象書類名】特許請求の範囲
【補正対象項目名】全文
【補正方法】変更
【補正の内容】
【特許請求の範囲】
【請求項１】
原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置において、
送信元側の回線から送信される発信者番号を受信する発信者番号受信手段と、
前記受信した送信元番号に対応させて前記発信者番号受信手段により受信した発信者番号を記憶する記憶手段と、
前記記録紙から画像情報を読み取る読取手段と、
前記読取手段により読み取った画像情報から送信元番号を抽出する抽出手段と、
前記抽出手段により抽出された送信元番号に対応する発信者番号を前記記憶手段から取得する取得手段と、
前記取得手段が前記送信元番号に対応する複数の発信者番号を取得した場合、前記複数の発信者番号を表示する第１の表示手段と、
前記第１の表示手段に表示された複数の発信者番号のいずれか１つを選択するための第１の選択手段と、
前記第１の選択手段により選択された発信者番号を前記読取手段により読み取った画像情報を送信する正しい送信元の電話番号と判定する判定手段と、
前記判定手段により判定された送信元に、前記読取手段により読み取った画像情報を送信する送信手段と、
を備えることを特徴とするファクシミリ装置。
【請求項２】
前記画像情報の送信元の電話番号を入力するための入力手段を更に備え、
前記第１の選択手段は、前記第１の表示手段に表示された電話番号または複数の発信者番号のいずれか１つを選択し、
前記判定手段は、前記第１の選択手段により選択された電話番号または発信者番号を前記読取手段により読み取った画像情報を送信する正しい送信元の電話番号と判定することを特徴とする請求項１に記載のファクシミリ装置。
【請求項３】
前記判定手段は、前記入力された電話番号と前記取得された発信者番号とが同一か否かを判定し、同一であったときに、当該入力された電話番号が正しい送信元の電話番号と判断することを特徴とする請求項２記載のファクシミリ装置。
【請求項４】
前記判定手段は、前記取得手段が前記送信元番号に対応する発信者番号を取得できたときに、前記同一か否かを判定することを特徴とする請求項３記載のファクシミリ装置。
【請求項５】
前記判定手段は、前記入力された電話番号と前記抽出された送信元番号とが同一か否かを判定し、同一であったときに、当該入力された電話番号が正しい送信元の電話番号と判断することを特徴とする請求項２記載のファクシミリ装置。
【請求項６】
前記判定手段は、前記取得手段が前記送信元番号に対応する発信者番号を取得できなかったときに、前記同一か否かを判定することを特徴とする請求項５記載のファクシミリ装置。
【請求項７】
前記入力された電話番号と前記抽出された送信元番号または前記入力された電話番号と前記取得された発信者番号の少なくとも一方が同一でない場合は、当該入力された電話番号を送信元の電話番号とするかまたは送信先を変更するかを選択させるための第２の表示手段をさらに備えることを特徴とする請求項１乃至５のいずれか１項の記載のファクシミリ装置。
【請求項８】
前記判定手段は、前記抽出された送信元番号と前記取得された発信者番号とが同一か否かを判定し、同一であったときに、当該抽出された電話番号が正しい送信元の電話番号と判断することを特徴とする請求項１記載のファクシミリ装置。
【請求項９】
前記取得手段が前記送信元番号に対応する複数の発信者番号を取得した場合、前記抽出された送信元番号と前記複数の発信者番号を表示する第３の表示手段と、
前記第３の表示手段に表示された送信元番号または複数の発信者番号のいずれか１つを選択するための第２の選択手段とを更に備え、
前記判定手段は、前記第２の選択手段により選択された送信元番号または発信者番号を正しい送信元の電話番号と判断することを特徴とする請求項８記載のファクシミリ装置。
【請求項１０】
前記記憶手段は、前記記憶手段に記憶された送信元番号と発信者番号の追加登録及び変更を禁止する変更禁止フラグを設定することを特徴とする請求項１乃至９の何れか１項に記載のファクシミリ装置。
【請求項１１】
前記送信元情報には、前記画像情報が送信された日時情報が含まれ、前記抽出手段は、前記画像情報から複数の送信元番号を抽出した場合、該送信元番号に対応する日時情報をそれぞれ抽出して比較を行い、日時の新しい方を送信元番号とすることを特徴とする請求項１乃至１０の何れか１項に記載のファクシミリ装置。
【請求項１２】
原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置の通信方法において、
送信元側の回線から送信される発信者番号を受信する発信者番号受信工程と、
前記記録紙から画像情報を読み取る読取工程と、
前記受信した送信元番号に対応させて前記発信者番号受信工程により受信した発信者番号を記憶する記憶工程と、
前記読取工程により読み取った画像情報から送信元番号を抽出する抽出工程と、
前記抽出工程により抽出された送信元番号に対応する発信者番号を前記記憶工程より取得する取得工程と、
前記取得工程が前記送信元番号に対応する複数の発信者番号を取得した場合、前記入力された電話番号と前記複数の発信者番号を表示する第１の表示工程と、
前記第１の表示工程に表示された複数の発信者番号のいずれか１つを選択するための第１の選択工程と、
前記第１の選択工程により選択された発信者番号を前記読取工程により読み取った画像情報を送信する正しい送信元の電話番号と判定する判定工程と、
前記判定工程により判定された送信元に、前記読取工程により読み取った画像情報を送信する送信工程と、
を備えることを特徴とする通信方法。
【請求項１３】
原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置において実行されるプログラムであって、
送信元側の回線から送信される発信者番号を受信する発信者番号受信手段と、
前記受信した送信元番号に対応させて前記発信者番号受信手段により受信した発信者番号を記憶する記憶手段と、
前記記録紙から画像情報を読み取る読取手段と、
前記読取手段により読み取った画像情報から送信元番号を抽出する抽出手段と、
前記抽出手段により抽出された送信元番号に対応する発信者番号を前記記憶手段から取得する取得手段と、
前記取得手段が前記送信元番号に対応する複数の発信者番号を取得した場合、前記入力された電話番号と前記複数の発信者番号を表示する第１の表示手段と、
前記第１の表示手段に表示された複数の発信者番号のいずれか１つを選択するための第１の選択手段と、
前記第１の選択手段により選択された発信者番号を前記読取手段により読み取った画像情報を送信する正しい送信元の電話番号と判定する判定手段と、
前記判定手段により判定された送信元に、前記読取手段により読み取った画像情報を送信する送信手段として機能させるためのプログラム。
【請求項１４】
請求項１３に記載されたプログラムを記録したコンピュータ読取可能な記録媒体。
【請求項１５】
原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置が互いに通信回線を介して接続されたファクシミリシステムにおいて、
前記ファクシミリ装置は、
送信元の他のファクシミリ装置側の回線から送信される発信者番号を受信する発信者番号受信手段と、
前記受信した送信元番号に対応させて前記発信者番号受信手段により受信した発信者番号を記憶する記憶手段と、
前記記録紙から画像情報を読み取る読取手段と、
前記読取手段により読み取った画像情報から送信元番号を抽出する抽出手段と、
前記抽出手段により抽出された送信元番号に対応する発信者番号を前記記憶手段から取得する取得手段と、
前記取得手段が前記送信元番号に対応する複数の発信者番号を取得した場合、前記入力された電話番号と前記複数の発信者番号を表示する第１の表示手段と、
前記第１の表示手段に表示された複数の発信者番号のいずれか１つを選択するための第１の選択手段と、
前記第１の選択手段により選択された発信者番号を前記読取手段により読み取った画像情報を送信する正しい送信元の電話番号と判定する判定手段と、
前記判定手段により判定された送信元の他のファクシミリ装置に、前記読取手段により読み取った画像情報を送信する送信手段と、
を備えることを特徴とするファクシミリシステム。
【手続補正２】
【補正対象書類名】明細書
【補正対象項目名】０００９
【補正方法】変更
【補正の内容】
【０００９】
上記目的を達成するために、請求項１記載のファクシミリ装置は、原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置において、送信元側の回線から送信される発信者番号を受信する発信者番号受信手段と、前記受信した送信元番号に対応させて前記発信者番号受信手段により受信した発信者番号を記憶する記憶手段と、前記記録紙から画像情報を読み取る読取手段と、前記読取手段により読み取った画像情報から送信元番号を抽出する抽出手段と、前記抽出手段により抽出された送信元番号に対応する発信者番号を前記記憶手段から取得する取得手段と、前記取得手段が前記送信元番号に対応する複数の発信者番号を取得した場合、前記入力された電話番号と前記複数の発信者番号を表示する第１の表示手段と、前記第１の表示手段に表示された複数の発信者番号のいずれか１つを選択するための第１の選択手段と、前記第１の選択手段により選択された発信者番号を前記読取手段により読み取った画像情報を送信する正しい送信元の電話番号と判定する判定手段と、前記判定手段により判定された送信元に、前記読取手段により読み取った画像情報を送信する送信手段と、を備えることを特徴とする。
【手続補正３】
【補正対象書類名】明細書
【補正対象項目名】００１０
【補正方法】変更
【補正の内容】
【００１０】
上記目的を達成するために、請求項１２記載のファクシミリ装置の通信方法は、原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置の通信方法において、送信元側の回線から送信される発信者番号を受信する発信者番号受信工程と、前記受信した送信元番号に対応させて前記発信者番号受信工程により受信した発信者番号を記憶する記憶工程と、前記記録紙から画像情報を読み取る読取工程と、前記読取工程により読み取った画像情報から送信元番号を抽出する抽出工程と、前記抽出工程により抽出された送信元番号に対応する発信者番号を前記記憶工程より取得する取得工程と、前記取得工程が前記送信元番号に対応する複数の発信者番号を取得した場合、前記入力された電話番号と前記複数の発信者番号を表示する第１の表示工程と、前記第１の表示工程に表示された複数の発信者番号のいずれか１つを選択するための第１の選択工程と、前記第１の選択工程により選択された発信者番号を前記読取工程により読み取った画像情報を送信する正しい送信元の電話番号と判定する判定工程と、前記判定工程により判定された送信元に、前記読取工程により読み取った画像情報を送信する送信工程と、を備えることを特徴とする。
【手続補正４】
【補正対象書類名】明細書
【補正対象項目名】００１１
【補正方法】変更
【補正の内容】
【００１１】
上記目的を達成するために、請求項１５記載のファクシミリシステムは、原稿の画像情報を読み取って送信すると共に、予め登録された自己のファクシミリ番号を送信し、送信された原稿の画像情報及び送信元のファクシミリ番号を表す送信元番号を受信して記録紙に記録するファクシミリ装置が互いに通信回線を介して接続されたファクシミリシステムにおいて、前記ファクシミリ装置は、送信元の他のファクシミリ装置側の回線から送信される発信者番号を受信する発信者番号受信手段と、前記受信した送信元番号に対応させて前記発信者番号受信手段により受信した発信者番号を記憶する記憶手段と、前記記録紙から画像情報を読み取る読取手段と、前記読取手段により読み取った画像情報から送信元番号を抽出する抽出手段と、前記抽出手段により抽出された送信元番号に対応する発信者番号を前記記憶手段から取得する取得手段と、前記取得手段が前記送信元番号に対応する複数の発信者番号を取得した場合、前記入力された電話番号と前記複数の発信者番号を表示する第１の表示手段と、前記第１の表示手段に表示された複数の発信者番号のいずれか１つを選択するための第１の選択手段と、前記第１の選択手段により選択された発信者番号を前記読取手段により読み取った画像情報を送信する正しい送信元の電話番号と判定する判定手段と、前記判定手段により判定された送信元の他のファクシミリ装置に、前記読取手段により読み取った画像情報を送信する送信手段と、を備えることを特徴とする。